(57)【要約】【課題】安価な構成から成り、サービスやメンテナンス担当者の負担を軽減すると共に、ユーザでも対応することができるようにして、装置の故障停止時間（ダウンタイム）を減少することができるように、画像読取装置に使用されている反射ミラーやＤＦガラスの裏側に容易にアクセスすることができるように工夫すること。【解決手段】光源と縮小光学系と反射ミラーを用いて、原稿の画像情報を読み取る画像読取装置を前提として、  上記画像読取装置の一部に開閉機構を設け、上記開閉機構を開放したとき、該開放部に上記反射ミラーが存在して成り、  上記反射ミラーの面上に付着したゴミや埃を清掃用具で容易に取り除き得るようにしたことである。【選択図】図１
2007174497.tif 000002
【特許請求の範囲】
【請求項１】
光源と縮小光学系と反射ミラーを用いて、原稿の画像情報を読み取る画像読取装置において、
上記画像読取装置の一部に開閉機構を設け、
上記開閉機構を開放したとき、該開放部に上記反射ミラーが存在して成り、
上記反射ミラーの面上に付着したゴミや埃を清掃用具で容易に取り除き得るようにしたことを特徴とする画像読取装置。
【請求項２】
上記開閉機構を開放したとき、該開放部に上記反射ミラーとＤＦガラスの裏側が存在して成り、
上記反射ミラーの面上やＤＦガラスの裏側に付着したゴミや埃を清掃用具で容易に取り除き得るようにしたことを特徴とする請求項１に記載の画像読取装置。
【請求項３】
上記開閉機構が、画像読取装置本体に対してヒンジにより回動可能に支持され、少なくともＤＦガラスが固定された開放カバーから成ることを特徴とする請求項２に記載の画像読取装置。
【請求項４】
上記開閉機構が、画像読取装置本体に対してＤＦガラスを脱着できる機構から成り、上記反射ミラーの面上やＤＦガラスの裏側に付着したゴミや埃を清掃用具で容易に取り除き得るようにしたことを特徴とする請求項１に記載の画像読取装置。
【請求項５】
上記ＤＦガラスを脱着できる機構を、該ＤＦガラスを抜き差しできる構成とすることを特徴とする請求項４に記載の画像読取装置。
【請求項６】
上記ＤＦガラスが、抜き差しするための取っ手を有することを特徴とする請求項５に記載の画像読取装置。
【請求項７】
上記ＤＦガラスを抜き差しできる構成を、該ＤＦガラスを摺動可能に支持する溝形状としたことを特徴とする請求項５又は請求項６に記載の画像読取装置。
【請求項８】
請求項１〜請求項７のいずれかに記載の画像読取装置を備えて成り、該画像読取装置の反射ミラーの面上、又はＤＦガラスの裏側に付着したゴミや埃を清掃用具で容易に取り除き得るようにして、サービス性やメンテナンス性を向上させたことを特徴とする画像形成装置。
【発明の詳細な説明】
【技術分野】
【０００１】
本発明は、スキャナ、ファクシミリ装置、複写機、それらの機能を有する複合機などに適用される画像読取装置に関し、さらに詳しくは、縮小光学系を用いて反射ミラーにより原稿を走査し、原稿の画像情報を読み取る方式の画像読取装置に関する。
【背景技術】
【０００２】
複写機、ファクシミリ装置、スキャナ装置などの画像読取装置においては、図３に示されているように、原稿載置台３８に載置した原稿３５を１枚ずつＤＦガラス３２の上面部に搬送し、このＤＦガラス３２の下方に設けられている画像読取手段によって原稿３５の読取りを行ない、この読取りが終了すると、原稿を所定の位置に排紙するようにした自動原稿搬送装置（ＡＤＦ：Auto Document Feeder）３６を備えたものがある。
このような自動原稿搬送装置３６では、上記ＤＦガラス３２の下方に設けられた画像読取装置３１の本体側の光源３４によって原稿に光を照射し、この反射光を第１反射ミラー６３、第２反射ミラー６４、第３反射ミラー６５、及びレンズ６６を経てＣＣＤなどの結像素子６７に結像して、原稿上の画像を読取っている。そして、画像が読取られた原稿は、上記ＤＦガラス３２の上面から排紙ガイド５３によって掬い上げられ、排紙方向へと搬送される。
【０００３】
上記光源３４と第１反射ミラー６３は、コンタクトガラス３３に載置された原稿を読取るときは、該コンタクトガラス３３の下方において左右方向（図３(ａ)で左右方向）に移動し、また、ＤＦガラス３２上において原稿を読取るときは、該ＤＦガラス３２の下方で停止し、光源３４によって原稿面を照射して、この反射光を上述のように、第１〜第３反射ミラー６３〜６５、及びレンズ６６を経てＣＣＤなどの結像素子６７に結像するようになっている。ここで、上記光源３４、第１〜第３反射ミラー６３〜６５、レンズ６６、及び結像素子６７は、画像読取手段を構成している。
【０００４】
画像読取装置３１には、図３(ｂ)に示されているように、上記自動原稿搬送装置（ＡＤＦ）３６がヒンジなどの連結部材６９ａ，６９ｂを介して、画像読取装置３１の本体上部に連結されており、この画像読取装置３１に対して開閉自在となっている。また、上記自動原稿搬送装置３６の下面には、コンタクトガラス３３に載置された原稿を該コンタクトガラス３３に押圧すると共に、原稿の読取り時の白基準となる反射板３７が設けられている。
【０００５】
上記自動原稿搬送装置３６の上部には原稿載置台３８が設けられており、この原稿載置台３８には原稿３５が載置される。この原稿載置台３８に載置された原稿３５は、呼出コロ３９に対して接離するようにソレノイドにより揺動される加圧板４３と該呼出コロ３９の動作によって給紙され、給紙ベルト４０と分離コロ４１によって最上位に位置する原稿が分離されるようになっている。
このようにして分離された原稿は、第１搬送駆動コロ４４ａと従動コロ４４ｂによって、搬送路４７に沿って反転されＤＦガラス３２に向かって搬送される。この搬送路４７は、上記自動原稿搬送装置３６の本体に対して設けられたケース３６ａの内周面によって形成された外側ガイド４７ａと、このケース３６ａに対向する上記自動原稿搬送装置３６の本体側に形成された内側ガイド４７ｂによって構成されている。
【０００６】
そして、第１搬送駆動コロ４４ａと従動コロ４４ｂは、分離された原稿を挟持して搬送路４７を通してＤＦガラス３２に搬送した後、反転排紙ガイド（掬い上げガイド）５３によって排紙経路５０に掬い上げるようにして搬送される。また、ＤＦガラス３２上には反射ガイド板４８が設けられており、この反射ガイド板４８は読取時の白基準を構成すると共に、光源３４からの光を反射するようになっている。
このようにして、排紙経路５０に搬送された原稿は、駆動側である第２搬送駆動コロ４９ａと従動コロ４９ｂに挟持されて搬送された後、排紙駆動コロ５１ａと従動コロ５１ｂに挟持されて排紙経路５０から外装カバー５２に排紙される。
【０００７】
上記コンタクトガラス３３上を覆う反射板３７は、加圧板５４の下面に設けられており、該コンタクトガラス３３上に載置された原稿を加圧するようになっている。この加圧板５４はメインフレーム５６に回動自在に軸支されると共に、リンク５９により補助フレーム５８にも連結されている。また、この補助フレーム５８は、上記メインフレーム５６に回動自在に連結されると共に、該メインフレーム５６に設けられたマグネット６０により吸引されている。この補助フレーム５８の先端部は排紙経路５０の一部を構成しており、この先端部には従動コロ４９ｂが設けられている。
なお、図３(ａ)において、符号６１及び６２は、ＤＦガラス３２が載置される載置部材、及び該ＤＦガラスの一端側を押さえる押え部材である。
【０００８】
このような画像読取装置３１においては、読取光学系を構成する反射ミラー（第１〜第３反射ミラー）面やＤＦガラス３２の裏側面に付着するゴミや埃によって、スジなどの異常画像が発生し問題になることがある。このゴミや埃は、使用中にケーシングの隙間から進入したり、或いは組付け段階において既に装置内に侵入し、それが輸送やその他の振動などに因り移動して反射ミラー面やＤＦガラス３２の裏側面等に付着して、黒スジなどの異常画像が発生するものと考えられる。
このような画像読取装置において、黒スジなどの異常画像の発生を回避するために、反射ミラー面やＤＦガラスの表側面を清掃する手段を備えるものとしては、次に挙げるような発明が既に提案されている。
【０００９】
例えば、特開２００４−３５００３１号公報（画像読取装置、特許文献１）には、ミラー面へのゴミの付着により発生する黒スジ（異常画像）を簡単に除去して、良好な画像品質を維持することができるように、第１〜第３ミラーに対して高圧エアを噴出する噴出口を配置することにより、コピー時などに黒スジが発生した時に、高圧エアを噴射させてミラー面を清掃することができる画像読取装置が記載されている。
【００１０】
また、特開平１１−１３３５２６号公報（画像形成装置、特許文献２）には、画像形成動作毎に反射ミラー表面に付着したゴミや汚れを除去して、サービス性やメンテナンス性を向上させるために、画像読取装置内の第１反射ミラーを搭載した第１走行体の走行路上において、先端部が湾曲したブラシ状の清掃部材を第１反射ミラーと平行に着脱可能に設置することにより、第１走行体の走行毎に、即ちデジタル複写機による複写動作毎に、ブラシ状の清掃部材の湾曲したブラシの先端が第１反射ミラー表面に接触して、該第１反射ミラー表面に付着したゴミや埃をかき落とす画像形成装置が記載されている。
【００１１】
また、特開平１０−１６４２９７号公報（原稿読取装置、特許文献３）には、簡単な作業によりコンタクトガラス（ＤＦガラス）の上面全体を確実に清掃し得るようにするために、清掃カートリッジにスポンジやフェルト等の多孔性の柔軟材料から成る清掃部材を取付けて、この清掃部材を有する清掃カートリッジをコンタクトガラスの長手方向に沿って移動可能に支持して成り、ユーザがコンタクトガラス部を開放した後、清掃カートリッジをコンタクトガラス上で移動させることにより、清掃部材がコンタクトガラスの上面に摺接し、清掃部材によりコンタクトガラスに付着していた塵埃や曇りを除去することができる原稿読取装置が記載されている。
【００１２】
【特許文献１】特開２００４−３５００３１号公報
【特許文献２】特開平１１−１３３５２６号公報
【特許文献３】特開平１０−１６４２９７号公報
【発明の開示】
【発明が解決しようとする課題】
【００１３】
上記特許文献１に記載されたものでは、装置内に高圧エアを噴出するための機構が必要であり、製造コストが増大するばかりでなく、装置も大型化し複雑になる。また、高圧エアによる清掃は、装置を生産する工程においても実施されているが、十分な効果が得られていない。
上記特許文献２に記載されたものは、反射ミラーだけを清掃するものであって、自動原稿搬送装置（ＡＤＦ）のガラス（ＤＦガラス）を清掃するものではない。また、装置内にブラシ状の清掃部材を設ける必要であり、製造コストが掛かるばかりでなく、装置も複雑化する。
また、上記特許文献３に記載されたものは、自動原稿搬送装置のガラス（ＤＦガラス）の上側面（表側面）だけを清掃するものであって、このガラスの裏側面や反射ミラーを清掃するものではない。また、装置内に清掃部材を持つ清掃カートリッジを設ける必要であり、製造コストが掛かり装置も複雑化する。
【００１４】
そして、上記特許文献１〜３に記載されているような装置や機構を追加しても、粘性のある異物等に対しては、十分な効果を期待することができない。
また、このような装置や機構により改善がみられない場合や、このような装置や機構を備えていない画像読取装置においてスジの発生があった時は、サービスやメンテナンス担当者が、自動原稿搬送装置（ＡＤＦ）のガラス（ＤＦガラス）やカバーなどを外して分解清掃を行い、反射ミラーの面上や自動原稿搬送装置のガラスの裏側に付着したゴミや埃を取り除く必要があり、大きな負担となっていた。
【００１５】
本発明は、これらの事情に鑑みてなされたものであり、その技術課題は、安価な構成から成り、サービスやメンテナンス担当者の負担を軽減すると共に、ユーザでも対応することができるようにして、装置の故障停止時間（ダウンタイム）を減少することができるように、画像読取装置に使用されている反射ミラーやＤＦガラスの裏側に容易にアクセスすることができるように工夫することである。
【課題を解決するための手段】
【００１６】
上記課題に対する解決手段は、画像読取装置において、その内部に配置されている反射ミラーやＤＦガラスの裏側に容易にアクセスすることができるように、開閉機構を設けることを基本とするものでる。
(１) 上記課題を解決するために講じた解決手段（請求項１に対応）は、光源と縮小光学系と反射ミラーを用いて、原稿の画像情報を読み取る画像読取装置を前提として、
上記画像読取装置の一部に開閉機構を設け、上記開閉機構を開放したとき、該開放部に上記反射ミラーが存在して成り、
上記反射ミラーの面上に付着したゴミや埃を清掃用具で容易に取り除き得るようにしたことである。
このように構成することにより、開閉機構を開放することによって、該開放部から反射ミラーに簡単にアクセスすることができるので、画像読取装置を分解して清掃しなくても、該反射ミラーの面上に付着したゴミや埃をウエス等の清掃用具で容易に取り除くことが可能である。
【００１７】
(２) また、上記画像読取装置において、開閉機構を開放したとき、該開放部に上記反射ミラーとＤＦガラスの裏側が存在して成り、
上記反射ミラーの面上やＤＦガラスの裏側に付着したゴミや埃を清掃用具で容易に取り除き得るようにすることができる。（請求項２に対応）
このような構成により、開閉機構を開放することによって、該開放部から反射ミラーやＤＦガラスの裏側に簡単にアクセスすることができるので、画像読取装置を分解して清掃しなくても、該反射ミラーの面上やＤＦガラスの裏側に付着したゴミや埃をウエス等の清掃用具で容易に取り除くことが可能である。
【００１８】
(３) また、上記画像読取装置において、開閉機構が画像読取装置本体に対してヒンジにより回動可能に支持され、少なくともＤＦガラスが固定された開放カバーから成るようにすることができる。（請求項３に対応）
このような構成により、ＤＦガラスが固定されヒンジにより回動可能に支持された開放カバーが開放されると、この開放部から反射ミラーやＤＦガラスの裏側に簡単にアクセスすることができるので、画像読取装置を分解して清掃しなくても、該反射ミラーの面上やＤＦガラスの裏側に付着したゴミや埃をウエス等の清掃用具で容易に取り除くことが可能である。
また、ヒンジにより回動可能に支持された開放カバー上に、原稿の位置決めに影響を及ぼさないＤＦガラス等の部材を固定することによって、読取性能を損なうことなく清掃作業を実施することができる。
【００１９】
(４) また、上記画像読取装置において、開閉機構が画像読取装置本体に対してＤＦガラスを脱着できる機構から成り、上記反射ミラーの面上やＤＦガラスの裏側に付着したゴミや埃を清掃用具で容易に取り除き得るようにすることができる。（請求項４に対応）
このような構成により、画像読取装置本体からＤＦガラスを取り外すことによって、その開放部から反射ミラーに簡単にアクセスすることができるので、画像読取装置を分解して清掃しなくても、該反射ミラーの面上に付着したゴミや埃をウエス等の清掃用具で容易に取り除くことが可能である。
また、上記ＤＦガラスは、画像読取装置本体から取り外されているので、該ＤＦガラスの裏側に付着したゴミや埃をウエス等の清掃用具で容易に取り除くことが可能である。
【００２０】
(５) また、上記ＤＦガラスを脱着できる機構を、該ＤＦガラスを抜き差しできる構成とすることができる。（請求項５に対応）
このような構成により、画像読取装置本体に対してＤＦガラスを抜き差しして、該ＤＦガラスを脱着できるようにしているため、ＤＦガラスの脱着機構の構成を比較的簡単にすることができる。
【００２１】
(６) また、上記ＤＦガラスが、抜き差しするための取っ手を有してもよい。（請求項６に対応）
このような構成により、ＤＦガラスが取っ手を有しているので、該ＤＦガラスを容易に抜き差しすることができる。
【００２２】
(７) また、上記ＤＦガラスを抜き差しできる構成を、該ＤＦガラスを摺動可能に支持する溝形状とすることができる。（請求項７に対応）
このような構成により、ＤＦガラスが溝形状によって摺動可能に支持されるので、抜き差しできる構成を簡単な構造にすることができ、該ＤＦガラスを確実に抜き差しすることができる。
【発明の効果】
【００２３】
本発明の効果を主な請求項毎に整理すると、次ぎのとおりである。
(１) 請求項１に係る発明
開閉機構を開放することにより、該開放部から反射ミラーに簡単にアクセスすることができるので、画像読取装置を分解して清掃しなくても、該反射ミラーの面上に付着したゴミや埃をウエス等の清掃用具で容易に取り除くことが可能であり、反射ミラーの清掃作業の負担を軽減することができ、サービス性やメンテナンス性の向上を図ることができる。
【００２４】
(２) 請求項２に係る発明
開閉機構を開放することにより、該開放部から反射ミラーやＤＦガラスの裏側に簡単にアクセスすることができるので、画像読取装置を分解して清掃しなくても、該反射ミラーの面上やＤＦガラスの裏側に付着したゴミや埃をウエス等の清掃用具で容易に取り除くことが可能であり、反射ミラーやＤＦガラスの裏側の清掃作業の負担を軽減することができ、サービス性やメンテナンス性の向上を図ることができる。
【００２５】
(３) 請求項３に係る発明
ＤＦガラスが固定されヒンジにより回動可能に支持された開放カバーが、回動されて開放されることにより、上記請求項２に係る発明と同様な効果を生じる。
また、ヒンジにより回動可能に支持された開放カバー上に、原稿の位置決めに影響を及ぼさないＤＦガラス等の部材を固定することにより、読取性能を損なうことなく清掃作業を実施することができる。
【００２６】
(４) 請求項４に係る発明
画像読取装置本体からＤＦガラスを取り外すことによって、その開放部から反射ミラーに簡単にアクセスすることができるので、画像読取装置を分解して清掃しなくても、該反射ミラーの面上に付着したゴミや埃をウエス等の清掃用具で容易に取り除くことが可能である。また、上記ＤＦガラスは、画像読取装置本体から取り外されているので、該ＤＦガラスの裏側に付着したゴミや埃をウエス等の清掃用具で容易に取り除くことが可能である。
これにより、反射ミラーやＤＦガラスの裏側の清掃作業の負担を軽減することができ、サービス性やメンテナンス性の向上を図ることができる。
【００２７】
(５) 請求項５に係る発明
画像読取装置本体に対してＤＦガラスを抜き差しすることにより、該ＤＦガラスを脱着できるようにしているため、ＤＦガラスの脱着機構の構成を比較的簡単にすることができるので、製造コストを低減することが可能である。
(６) 請求項６に係る発明
ＤＦガラスが取っ手を有しているので、該ＤＦガラスを容易に抜き差しすることが可能であり、操作性や安全性を向上することができる。
【００２８】
(７) 請求項７に係る発明
ＤＦガラスが溝形状によって摺動可能に支持されるので、抜き差しできる構成を簡単な構造にすることができ、該ＤＦガラスを確実に抜き差しすることができる。
(８) 請求項８に係る発明
画像形成装置が、請求項１〜請求項７のいずれかに係る画像読取装置を備えることにより、該画像読取装置における反射ミラーの面上やＤＦガラスの裏側に付着したゴミや埃を清掃用具で容易に取り除くことが可能であるので、画像形成装置の故障停止時間（マシンダウンタイム）を減少することができるばかりでなく、サービス性やメンテナンス性の向上を図ることが可能である。
【発明を実施するための最良の形態】
【００２９】
以下、添付図面を参照しながら、実施例１〜実施例２を説明することによって、本発明を実施するための最良の形態について説明する。
【実施例１】
【００３０】
本発明の実施例１について、図１を参照しながら説明する。図１は画像読取装置の要部の断面図であり、(ａ)は通常の使用時、(ｂ)は清掃作業時を示す。
この実施例１は、第１〜第３反射ミラー１〜３の面上やＤＦガラス８の裏側に付着したゴミや埃を取り除くとき、装置を分解することなく、上記第１〜第３反射ミラー１〜３にアクセスすることができるように、該第１〜第３反射ミラーの設置領域近傍にヒンジ１１により開閉可能な開放カバー１２（開閉機構）を取り付けると共に、この開放カバー１２上に上記ＤＦガラス８を配置したものである。
【００３１】
図１に示されているように、画像読取装置１０における本体１５の側面部１５ａには、開閉可能な開放カバー１２がヒンジ１１により取り付けられている。この開放カバー１２の上面部（開放カバーを閉じた時の上面部）には、ＤＦガラス８と給紙側のＤＦペーパーガイド９が取り付けられている。また、上記画像読取装置１０における本体１５の上面部１５ｂには、コンタクトガラス６とスケール７が取り付けられている。このスケール７は排紙側のペーパーガイドの機能も兼ね備えている。（図１(ａ)を参照）
上記画像読取装置本体１５の内部には、通常の画像読取装置と同様に、第１反射ミラー１、第２反射ミラー２、第３反射ミラー３、光源４、及びリフレクタ５が配置されており、上記ＤＦガラス８の上面部に送り込まれる原稿を読み取るものである。
また、上記画像読取装置本体１５の上部には、図示は省略されているが、例えば図３に示されているような、自動原稿搬送装置（ＡＤＦ）が取り付けられる。
【００３２】
上記ＤＦガラス８が取り付けられた開放カバー１２は、ヒンジ１１を支点として開閉することができるので、装置を分解して清掃しなくても、該ＤＦガラス８の裏側をウエス等の清掃用具で容易に清掃することができる。
また、上記開放カバー１２の開放位置は、第１〜第３反射ミラー１〜３にアクセスすることができるように構成されているので、装置を分解して清掃することなく、該第１〜第３反射ミラーの面上をウエス等の清掃用具で容易に清掃することが可能である。（図１(ｂ)を参照）
【００３３】
上記スケール７のように、原稿の位置決め等で高い位置精度が要求される部品については、画像読取装置１０の本体１５側に残し、位置精度がそれ程要求されない部品を開放カバー１２上に取り付けて開閉するようにしているので、ヒンジ１１により開閉可能に支持される開放カバー１２（開閉機構）に高い精度が要求されることはない。
図１に示されている画像読取装置１０では、開放カバー１２を回動自在に支持するヒンジ１１が、画像読取装置本体１５の側面部１５ａに設けられている場合について説明しているが、これに限定されるものではなく、上記ヒンジ１１を画像読取装置本体１５の上面部１５ｂに設けることも可能である。
上記実施例１によれば、反射ミラーやＤＦガラスに付着したゴミや埃によって、スジ等の異常画像が発生した場合にもユーザでの対応が可能となり、装置の故障停止時間（マシンダウンタイム）を減少したり、サービスやメンテナンスの負担を低減することができるという特徴を有している。
【実施例２】
【００３４】
次に、本発明の実施例２について、図２を参照しながら説明する。図２は画像読取装置の説明図であり、(ａ)は通常使用時の断面図、(ｂ)は清掃作業時にＤＦガラス部を開放する状態の斜視図、(ｃ)はＤＦガラスの抜き差し部の要部断面図である。
この実施例２は、第１〜第３反射ミラー１〜３の面上やＤＦガラス８の裏側に付着したゴミや埃を取り除くとき、装置を分解することなく、上記第１〜第３反射ミラー１〜３にアクセスすることができるように、画像読取装置１０の本体１５に対して、ＤＦガラス８を簡単な操作で脱着可能に構成して開閉機構としたものである。
【００３５】
この実施例２は、上記実施例１において、開閉機構に関する構成が異なるものであって、その他の構成については略同様のものである。
図２に示されているように、画像読取装置１０における本体１５の上面部１５ｂには、コンタクトガラス６、スケール７、ＤＦガラス８、及び給紙側のＤＦペーパーガイド９が取り付けられている。上記ＤＦガラス８は、スケール７とＤＦペーパーガイド９のそれぞれに形成された各ガイド溝１３，１４に案内されて（図２(ｃ)を参照）、その長手方向に抜き差し可能に構成されている。このＤＦガラス８の手前側端部には、操作性や安全性を考慮して、抜き差し用の取っ手部８ａが形成されている（図２(ｂ)を参照）。
実施例２として図面に示されたものは、ＤＦガラス８のみを抜き差しできるようにしているが、これに限定されるものではなく、ＤＦガラス８と一体化された他の部材、例えばＤＦペーパーガイド９と共に抜き差しできるように構成することも可能である。また、上記スケール７が排紙側のペーパーガイドの機能も兼ね備えていることは、上記実施例１と同様である。
【００３６】
上記画像読取装置１０における本体１５の内部には、通常の画像読取装置と同様に、第１反射ミラー１、第２反射ミラー２、第３反射ミラー３、光源４、及びリフレクタ５が配置されており、上記ＤＦガラス８の上面部に送り込まれる原稿の画像を読み取るものである。
また、上記画像読取装置１０の本体１５の上部には、自動原稿搬送装置（ＡＤＦ）２０が取り付けられており、原稿載置台１７に載せられた原稿は、搬送路１８を通してＤＦガラス８と反射ガイド板１９の間に送り込まれ、さらに排紙経路２１を経て原稿排紙部２２へ排出される。
【００３７】
この実施例２において、第１〜第３反射ミラー１〜３の面上やＤＦガラス８の裏側に付着したゴミや埃を取り除く場合は、ＤＦガラス８の取っ手部８ａをつかんで引き出して、該ＤＦガラス８を画像読取装置１０の本体１５から抜き取ることによって、原稿読取装置を分解することなく、容易に清掃することができる。ＤＦガラス８については、画像読取装置本体１５から抜き取っているため、その裏側面に付着しているゴミや埃をウエス等の清掃用具で容易に清掃することができる。また、第１〜第３反射ミラー１〜３については、上記ＤＦガラス８を抜き取った後の開口２５（画像読取り用の開口）から比較的簡単にアクセスすることができるので、ウエス等の清掃用具で容易に清掃することが可能である。
【００３８】
このような実施例２によれば、反射ミラーやＤＦガラスに付着したゴミや埃によって、スジ等の異常画像が発生した場合にもユーザでの対応が可能となり、装置の故障停止時間（マシンダウンタイム）を減少したり、サービスやメンテナンスの負担を低減することができる。また、ＤＦガラス８の脱着機構（開閉機構）を有しており、該ＤＦガラス８を容易に脱着することが可能であり、読取性能を損なうことなく清掃作業を実施することができるため、サービス性やメンテナンス性の向上を図ることができるという特徴を有している。
【図面の簡単な説明】
【００３９】
【図１】は、本発明の実施例１による画像読取装置における要部の模式的な断面図であり、(ａ)は通常の使用時を示し、(ｂ)は清掃作業時のカバー開放状態を示す。
【図２】は、本発明の実施例２による画像読取装置について説明する模式図であり、(ａ)は通常の使用時の断面図、(ｂ)は清掃作業時にＤＦガラス部を開放する状態を示す斜視図、(ｃ)はＤＦガラスの抜き差し部の要部を拡大した断面図である。
【図３】は、従来の画像読取装置の模式的な説明図であり、(ａ)は断面図、(ｂ)は自動原稿搬送装置（ＡＤＦ）の開放状態を示す斜視図である。
【符号の説明】
【００４０】
１…第１反射ミラー                      ２…第２反射ミラー
３…第３反射ミラー                      ４…光源
５…リフレクタ                          ６…コンタクトガラス
７…スケール                            ８…ＤＦガラス
８ａ…(ＤＦガラスの)取っ手部            ９…ＤＦペーパーガイド
１０…画像読取装置                      １１…ヒンジ
１２…開放カバー                        １３，１４…ガイド溝
１５…画像読取装置の本体                １７…原稿載置台
１８…搬送路                            １９…反射ガイド板
２０…自動原稿搬送装置（ＡＤＦ）        ２１…排紙経路
２２…原稿排紙部                        ２５…開口（画像読取り用の開口）
【図１】
2007174497.tif 000003
【図２】
2007174497.tif 000004
【図３】
2007174497.tif 000005